(57)【要約】      （修正有）【課題】釣り針に釣り糸を結んだ後に、簡易に、釣り糸を切断することができる針結び器を提供する。【解決手段】針結び器１０は、本体１と、本体に設けられ、釣り針を挟んで固定する針保持部２と、本体に回転自在に設けられ、針保持部に固定された釣り針の位置を回転中心として、モーターに連動して回転する円盤状の回転部３と、回転部の面に一端が固定された固定片４ａからなり、他端側から、回転部との間に釣り糸を挟むことが可能な糸押さえ部４とを備える。糸押さえ部を構成する固定片４ａは、針保持部２側の側面に、釣り糸を切るための刃が形成された切り欠き部５を有している。【選択図】図１
0003196900.tif 000002
【実用新案登録請求の範囲】
【請求項１】
釣り針に釣り糸を結びつけるための針結び器であって、
本体と、
前記本体に設けられ、釣り針を挟んで固定する針保持部と、
前記本体に回転自在に設けられており、前記針保持部に固定された釣り針の位置を回転中心として、前記本体に内蔵されたモーターに連動して回転する円盤状の回転部と、
前記回転部の面に一端が固定された固定片を有し、前記固定片の他端側から、前記回転部との間に釣り糸を挟むことが可能な糸押さえ部とを備え、
前記固定片は、釣り糸を切るための刃が形成された切り欠き部を有している
ことを特徴とする針結び器。
【請求項２】
請求項１記載の針結び器において、
前記切り欠き部は、前記固定片における前記針保持部側の側面に、形成されている
ことを特徴とする針結び器。
【考案の詳細な説明】
【技術分野】
【０００１】
本考案は、釣り針に釣り糸を結ぶために用いる針結び器に関するものである。
【背景技術】
【０００２】
従来から、釣り針に釣り糸を簡単に短時間でかつ確実に結ぶ付けるために用いる、電動式の針結び器が知られている。特許文献１では、釣り針と釣り糸または釣り糸同士の結びを小型で軽量な一台の器械で可能にした電動式釣糸結び器の構造が開示されている。
【先行技術文献】
【特許文献】
【０００３】
【特許文献１】特開平７−２５５３４１号公報
【考案の概要】
【考案が解決しようとする課題】
【０００４】
従来の針結び器では、釣り針に釣り糸を結び終わってから、釣り糸を必要な長さに切るために、ハサミなどの刃物が別途必要になる。これは利用者にとっては、不便となる。
【０００５】
本考案は、かかる点に鑑みてなされたものであり、その目的は、針結び器によって釣り針に釣り糸を結んだ後に、簡易に、釣り糸を切断可能にすることにある。
【課題を解決するための手段】
【０００６】
本考案の一態様では、釣り針に釣り糸を結びつけるための針結び器は、本体と、前記本体に設けられ、釣り針を挟んで固定する針保持部と、前記本体に回転自在に設けられており、前記針保持部に固定された釣り針の位置を回転中心として、前記本体に内蔵されたモーターに連動して回転する円盤状の回転部と、前記回転部の面に一端が固定された固定片を有し、前記固定片の他端側から、前記回転部との間に釣り糸を挟むことが可能な糸押さえ部とを備え、前記固定片は、釣り糸を切るための刃が形成された切り欠き部を有している。
【０００７】
これにより、利用者は、針保持部に釣り針を挟んで固定した状態で、釣り糸の一端を糸押さえ部に挟み、回転部をモーターによって回転させることによって、釣り針に釣り糸を巻き付けることができる。そして、巻き付けた釣り糸を釣り針に結んだ後、糸押さえ部を構成する固定片が有する切り欠き部に形成された刃を用いて、釣り糸を必要な長さに切ることができる。したがって、ハサミなどの刃物を別途必要とせずにすむ。
【考案の効果】
【０００８】
本考案によれば、針結び器によって釣り針に釣り糸を結んだ後に、他の道具を必要とすることなく、簡易に、釣り糸を切断することができる。
【図面の簡単な説明】
【０００９】
【図１】針結び器の一例の外観図
【図２】図１の針結び器における糸押さえ部周辺の拡大図
【図３】針結び器の使い方を示す図
【図４】糸押さえ部の刃を用いて釣り糸を切る様子を示す図
【考案を実施するための形態】
【００１０】
以下、本考案の実施形態を、図面に基づいて詳細に説明する。
【００１１】
図１は実施形態に係る針結び器１０の一例の外観図である。図１の針結び器１０は釣り針に釣り糸を結び付けるために用いられるものであり、本体１と、本体１に設けられており、釣り針を挟んで固定する針保持部２と、本体１に回転自在に設けられた円盤状の回転部３とを備えている。回転部３は、針保持部２に固定された釣り針の位置を回転中心として、本体１に内蔵されたモーター（図示せず）に連動して回転する。回転部３の面には、例えば金属製の固定片４ａの一端がねじ止めによって固定されており、糸押さえ部４を構成している。すなわち、固定片４ａの他端側から、回転部３の面との間に釣り糸を挟むことが可能になっている。また、固定片４ａは、針保持部２側の側面に、切り欠き部５を有している。
【００１２】
針セットボタン１１をスライドさせることによって、針保持部２を構成する２枚の金属片２ａ，２ｂがスライドして開き、その奥にある針ガイド（図示せず）が現れる。この針ガイドに釣り針のチモトを押し込み、針セットボタン１１を離すことによって、針保持部２に釣り針が固定される。また、スイッチ１２を「入」にすることによって回転部３が回転する。スイッチ１２を離すと、回転部３は所定の停止位置で自動停止する。１３は回転部３の周囲を移動可能に構成されているスライダであり、１４は回転部３の半径方向に形成された糸みぞである。
【００１３】
図２は糸押さえ部４周辺の拡大図である。図２に示すように、糸押さえ部４を構成する固定片４ａの針保持部２側の側面に、三角形状の切り欠き部５が形成されている。そして、切り欠き部５の断面は、先端部が薄く細くなるように、斜めに削られた形状になっている。すなわち、切り欠き部５には刃５ａが形成されている。なお、切り欠き部５の形状は、三角形状に限られるものではなく、例えば、半円状、方形状などであってもかまわない。
【００１４】
針結び器１０を用いた針結び動作について説明する。釣り人は、針セットボタン１１をスライドさせて、針保持部２に釣り針のチモトを押し込み、針セットボタン１１を離すことによって、釣り針を固定する。そして、釣り糸を張ったまま、本体１裏側から糸みぞ１４にそって表側へ出し、釣り針の右側に沿わしてスライダ１３にかける。釣り糸を本体１裏側に回し再度、糸みぞ１４にそって表側へ出す。そして、釣り糸を張ったまま、糸押さえ部４にはさむ。これにより、図３のような状態になる。２１は釣り針、２２は釣り糸である。
【００１５】
その後、釣り人は、スイッチ１２を「入」にして回転部３を数回回転させ、スイッチ１２を離す。これにより、釣り糸２２が針保持部２に固定された釣り針２１に巻き付けられる。スライダ１３を上に上げ、本体裏側から釣り糸２２をしっかり引っ張る。スライダ１３を下げ、本体１裏側から釣り糸２２を表側に回し、針セットボタン１１をスライドさせながら釣り糸２２を引っ張って糸押さえ部５から外す。これにより、釣り糸２２が結びついた状態の釣り針２１が、針結び器１０から外される。
【００１６】
その後、釣り針２１の両端の釣り糸２２を引っ張り増し締めしてから、釣り糸２２を必要な長さに切る。このとき、図４に示すように、糸押さえ部４を構成する固定片４ａに形成された切り欠き部５に釣り糸２２を引っかけて、刃５ａを利用して釣り糸２２を切ればよい。またここでは、切り欠き部５が針保持部２側の側面に形成されているため、切り欠き部５に引っかけた釣り糸２２を引っ張る際に力が入れやすく、容易に釣り糸２２を切ることができる。
【００１７】
このように、本実施形態に係る針結び器１０によると、利用者は、糸押さえ部４を構成する固定片４ａが有する切り欠き部５に形成された刃５ａを用いて、釣り糸を必要な長さに切ることができる。したがって、別途ハサミなどの刃物を必要とせずにすむ。すなわち、針結び器１０によって釣り針に釣り糸を結んだ後に、他の道具を必要とすることなく、簡易に、釣り糸を切断することができる。
【符号の説明】
【００１８】
１  本体
２  針保持部
３  回転部
４  糸押さえ部
４ａ  固定片
５  切り欠き部
５ａ  刃
１０  針結び器
２１  釣り針
２２  釣り糸
【図１】
0003196900.tif 000003
【図２】
0003196900.tif 000004
【図３】
0003196900.tif 000005
【図４】
0003196900.tif 000006